(57)【要約】【課題】複数の表示パネルを組合わせてなる単純マトリクス駆動型の有機ＥＬ素子表示装置において、大サイズ化し、高解像度を向上させる。【解決手段】基板上に、第１電極４３、発光層、第２電極４５及び保護膜を順次形成させ、保護膜上に、第１電極と同方向に延びる第３延伸導線４４、その上の第３隔離層及び第２電極と同方向に延びる第４延伸導線４８を順次形成させてなる表示パネル。第３延伸導線はもう１つの表示パネル５１３の第１電極（データ線６３５）とコモンドライバ５３Ｃ５とを接続する経路となり、第４延伸導線はもう１つの表示パネル５１４の第２電極（走査線６５５）とカラムドライバ５５Ｄ４とを接続する経路となる。よって、各表示パネルのデータ線と走査線は、対応するコモンドライバとカラムドライバに接続するための経路を持つこととなり、各表示パネルを組合わせて大サイズの表示装置を構成できる。【選択図】　　　図５
2004111320.tif 000002
【特許請求の範囲】
【請求項１】
少なくとも第１表示パネルを含んでなる有機ＥＬ素子表示装置であって、前記第１表示パネルが、主に、
基板と、
前記基板表面に形成され、少なくとも１つの発光層、第２電極および保護膜とをその表面の一部に順次形成させる少なくとも１つの第１電極と、
前記保護膜表面の一部に配設され、第３接続線を介して第３表示パネルの第１電極または第２電極のうちいずれか１つに接続される少なくとも１つの第３延伸導線と
からなる有機ＥＬ素子表示装置。
【請求項２】
前記第１表示パネルの第１電極、第２電極および第３延伸導線が、対応するコモンドライバ、カラムドライバ、またはその組合せのうちいずれか１つにそれぞれ接続される請求項１記載の有機ＥＬ素子表示装置。
【請求項３】
前記第３延伸導線表面に配設される第３隔離層と、
前記第３隔離層表面の一部に配設される少なくとも１つの第４延伸導線と、をさらに備え、
前記第４延伸導線が、第４接続線を介して第４表示パネルの第１電極または第２電極のうちいずれか１つに接続されるものである請求項１記載の有機ＥＬ素子表示装置。
【請求項４】
前記第４延伸導線が、対応するコモンドライバ、カラムドライバ、またはこれらの組合せのうち、少なくともいずれか１つに接続されるものである請求項３記載の有機ＥＬ素子表示装置。
【請求項５】
前記第４延伸導線表面に配設される第５隔離層と、
対応するコモンドライバ、カラムドライバ、またはこれらの組合せのうちいずれか１つに接続される少なくとも１つの第５延伸導線と、をさらに備え、
前記第５延伸導線が、第５接続線を介して第５表示パネルの第１電極または第２電極に接続されるものである請求項３記載の有機ＥＬ素子表示装置。
【請求項６】
全ての前記コモンドライバおよび前記カラムドライバに接続される中央コントローラをさらに備えてなる請求項１記載の有機ＥＬ素子表示装置。
【請求項７】
前記第３延伸導線が、前記第１表示パネルの第１電極と同一の方向に延伸されるものである請求項１記載の有機ＥＬ素子表示装置。
【請求項８】
前記第４延伸導線が、前記第１表示パネルの第２電極と同一の方向に延伸されるものである請求項３記載の有機ＥＬ素子表示装置。
【請求項９】
前記第５延伸導線が、前記第１表示パネルの第１電極および第１延伸導線と同一の方向に延伸されるものである請求項５記載の有機ＥＬ素子表示装置。
【請求項１０】
少なくとも第１表示パネルを含んでなる有機ＥＬ素子表示装置であって、前記第１表示パネルが、主に、
基板と、
前記基板表面に形成され、かつ、第３接続線を介して第３表示パネルの第１電極または第２電極に接続される第３延伸導線と、
前記第３延伸導線表面の一部に配設される第３隔離層と、
前記第３隔離層表面の一部に配設され、かつ、少なくとも１つの発光層および第２電極がその表面の一部に順次形成された少なくとも１つの第１電極と、
からなる有機ＥＬ素子表示装置。
【請求項１１】
前記第３隔離層表面の一部に配設され、第４接続線を介して第４表示パネルの第１電極または第２電極に接続される少なくとも１つの第４延伸導線と、
前記第４延伸導線表面に配設され、かつ、前記第１表示パネルの第１電極、発光層および第２電極をその表面の一部に形成させる第４隔離層と
をさらに備えてなる請求項１０記載の有機ＥＬ素子表示装置。
【請求項１２】
前記第１表示パネルの第１電極、第２電極および第３延伸導線が、対応するコモンドライバ、カラムドライバまたはこれらの組合せのうち、少なくともいずれか１つにそれぞれ接続されるものである請求項１０記載の有機ＥＬ素子表示装置。
【請求項１３】
前記第４延伸導線が、対応するコモンドライバ、カラムドライバまたはこれらの組合せのうち、少なくともいずれか１つに接続されるものである請求項１１記載の有機ＥＬ素子表示装置。
【請求項１４】
前記第４延伸導線上に配設される第５隔離層と、
コモンドライバ、カラムドライバまたはこれらの組合せのうちいずれか１つに接続される第５延伸導線と、をさらに含み、
前記第５延伸導線が、第５接続線を介して第５表示パネルの第１電極または第２電極に接続されるものである請求項１１記載の有機ＥＬ素子表示装置。
【請求項１５】
単純マトリクス駆動型の有機ＥＬ素子表示装置である請求項１０記載の有機ＥＬ素子表示装置。
【請求項１６】
主に、少なくとも１つのデータ線および少なくとも１つの走査線をそれぞれ有する複数の有機ＥＬ素子表示パネルを配列させて比較的大サイズの表示装置を構成する方法であって、
前記表示装置の外周部分に配置される前記表示パネルのデータ線、走査線またはこれらの組合せのうちいずれか１つを、対応するコモンドラバ、カラムドライバまたはこれらの組合せのうちいずれか１つにそれぞれ接続させ、
コモンドライバ、カラムドライバまたはこれらの組合せのいずれにも隣接しない前記表示パネルのコモンドライバ、カラムドライバまたはこれらの組合せのうちいずれか１つを、第３延伸導線、第３接続線、第４延伸導線、第４接続線またはこれらの組合せのうち少なくともいずれか１つを介して、対応するコモンドライバ、カラムドライバまたはこれらの組合せのうちいずれか１つにそれぞれ間接的に接続させ、かつ、
前記第３延伸導線および前記第４延伸導線を、コモンドライバ、カラムドライバまたはこれらの組合せのうちいずれか１つに隣接する前記表示パネルを横切るように配してなる有機ＥＬ素子表示装置を配列させて構成する方法。
【請求項１７】
コモンドライバ、カラムドライバまたはこれらの組合せのいずれにも隣接しない前記表示パネルのデータ線、走査線またはこれらの組合せのうちいずれか１つを、さらに、第５延伸導線、第５接続線、第６延伸導線、第６接続線またはこれらの組合せのうち、少なくともいずれか１つを介して、対応するコモンドライバ、カラムドライバまたはこれらの組合せのうちいずれか１つにそれぞれ間接的に接続させ、かつ、
前記第５延伸導線および前記第６延伸導線を、コモンドライバ、カラムドライバまたはこれらの組合せのうちいずれにも隣接しない表示パネルから、コモンドライバ、カラムドライバまたはこれらの組合せのいずれか１つに隣接する表示パネルに亘って横切るように配してなる請求項１６記載の方法。
【請求項１８】
前記データ線は有機ＥＬ素子表示パネルの第１電極であり、前記走査線は有機ＥＬ素子表示パネルの第２電極である請求項１６記載の方法。
【請求項１９】
前記コモンドライバおよび前記カラムドライバが、中央コントローラに接続されるものである請求項１６記載の有機ＥＬ素子表示装置を構成する方法。
【請求項２０】
前記表示パネルが、単純マトリクス駆動型の有機ＥＬ素子からなる請求項１６記載の方法。
【発明の詳細な説明】
【０００１】
【発明の属する技術分野】
本発明は、有機ＥＬ素子表示装置に関し、特に、大サイズの表示装置を構成するのに適用される、単純マトリクス駆動型の有機ＥＬ素子表示装置およびそれを配列させて構成する方法に関する。
【０００２】
【従来の技術】
有機ＥＬ素子（ｏｒｇａｎｉｃ　ｅｌｅｃｔｒｏｌｕｍｉｎｅｓｃｅｎｔ　ｄｅｖｉｃｅ＝ＯＥＬＤ）表示装置は、視野角が広く、応答速度が高速で、薄型化が図れ、消費電力が低く、製造工程が簡易で、衝撃に強く、バックライトを要せず、フルカラー表示が可能等といった長所から、次世代の表示装置の中でも特に、各方面から注目され、かつ、幅広く使用されている。
【０００３】
図１に示すのは、従来技術による有機ＥＬ素子の断面図である。これは、主に、基板１１上に第１電極１３が形成され、さらに、第１電極１３の適所に蒸着法またはスパッタリングにより、少なくとも有機発光層（ｏｒｇａｎｉｃ　ｅｍｉｔｔｉｎｇ　ｌａｙｅｒ）を含んでなる発光層１７と、第２電極１５と、保護膜１９とが順次形成されてなるものである。第１電極１３と第２電極１５から電子とホールが注入されることにより、電子とホールが発光層１７内で再結合（Ｒｅｃｏｍｂｉｎａｔｉｏｎ）し、発光層１７内の組成物が励起されて発光する。このような構成により、発光の目的が達成されることとなっている。
【０００４】
有機ＥＬ素子表示装置の駆動方式は、単純マトリクスとアクティブマトリクスに２種類に大別される。このうち、単純マトリクス駆動型有機ＥＬ素子の構造は比較的簡単で、薄膜トランジスタ液晶パネルおよびカラーフィルタの使用を要さないため、製造工程の簡便化と生産コストの低下を図るのに有利である。しかし、各画素を順次駆動させるその方式は、各画素の発光を所定時間保ちたい場合、画素に大電流を瞬時に流す必要があるので、走査線の本数が一定程度に制限されてしまう。よって、大サイズの表示装置を作製するのに適せず、高解像度への要求も満たすことができない。
【０００５】
これに対し、アクティブマトリクス駆動型の有機ＥＬ素子表示装置は、走査線の本数を増加させるのに適した構造を有するため、大サイズの表示装置に適用され、なおかつ、高解像度の要求も満足させ得る。しかし、アクティブマトリクス駆動型の有機ＥＬ素子は、画素毎個別の薄膜トランジスタによる駆動方式を採用しているため、低温ポリシリコン（ＬＴ−Ｐｏｌｙ−Ｓｉ）ＴＦＴ技術を利用しない限り、その生産が容易でない。よって、その複雑な構造は、生産コストを大幅に増加させ、生産技術の難度を高めてしまい、かつ、かかる構造を用いるには、低温ポリシリコン（ＬＴ−Ｐｏｌｙ−Ｓｉ）ＴＦＴの量産技術が熟して、使用に供されるようになるまで待つ必要がある。このように、目下のところ、その関連技術がある程度まで熟したことから、量産の実質的価値がある有機ＥＬ素子表示装置は主に、単純マトリクス駆動型のものである。
【０００６】
図２に示すのは、従来技術による単純マトリクス駆動型有機ＥＬ素子表示パネルのブロック図である。表示パネル２１は、複数の第１電極からなるデータ線（Ｄａｔｅ　Ｅｌｅｃｔｒｏｄｅ／Ｌｉｎｅ）２３５と、複数の第２電極からなる走査線（Ｓｃａｎｎｉｎｇ　Ｌｉｎｅ／Ｌｉｎｅ）２５５との組合せにより構成される。全てのデータ線２３５および走査線２５５は、個別に対応するコモンドライバ２３およびカラムドライバ２５とそれぞれ接続されており、さらに、コモンドライバ２３およびカラムドライバ２５は、整合制御機能を有する中央コントローラ２７に接続されている。こうした構成により、中央コントローラ２７、コモンドライバ２３およびカラムドライバ２５の制御により、どの画素（黒い点で示した部分）に通電して点灯させるかが決定される。
【０００７】
製品を実際に応用するにあたり、業界では、複数の有機ＥＬ素子表示パネルを組み合わせて大サイズの表示パネル３１を構成させようとする試みがなされている。例として、図３に示すような、２×２パネルの組合せで構成される表示装置がある。各パネルにおける各データ線３３５および各走査線３５５は、独立かつ直接に、対応するコモンドライバ３３Ａ１〜３３Ａ４およびカラムドライバ３５Ｂ１〜３５Ｂ４にそれぞれ接続されている。さらに、コモンドライバ３３Ａ１〜３３Ａ４およびカラムドライバ３５Ｂ１〜３５Ｂ４は、それぞれ中央コントローラ３７に接続されており、どのパネルのどの画素（黒い点で示す部分）に通電して、点灯させるかを制御し、決定する。
【０００８】
【発明が解決しようとする課題】
この種の構造によれば、表示装置をある程度大型化させることができるが、各パネルのデータ線３３５および走査線３５５がいずれも、コモンドライバ３３Ａ１〜３３Ａ４およびカラムドライバ３５Ｂ１〜３５Ｂ４にそれぞれ直接に接続される必要があるため、２×２以下のパネルの組合せで構成されるパネル表示装置にしか適用されず、つまり、２×３以上のパネルの組合せで構成されるパネル表示装置には適用され得ない。これは、第３行または第３列以上のパネルは、データ線および走査線を、対応するコモンドライバおよびカラムドライバにそれぞれ直接に接続させることができないことに起因しており、かかる問題は、単純マトリクス駆動型の有機ＥＬ素子表示装置の大サイズ化が図れない最大のネックとなっている。
【０００９】
従って、従来技術による単純マトリクス駆動型の有機ＥＬ素子表示装置の構造上の欠点を効果的に解決して、大サイズの表示装置への適用を可能とし、かつ、高解像度の要求を満足させる単純マトリクス駆動型有機ＥＬ素子を如何に設計するかが、本発明の重点である。
【００１０】
上記問題に鑑みて、本発明は、主に、複数の表示パネルを並列に配置させて、比較的大きなサイズの有機ＥＬ素子表示装置を構成させることにより、各種サイズ・各種タイプの表示装置に作製させ得る単純マトリクス駆動型の有機ＥＬ素子表示装置を提供することを目的とする。
【００１１】
また、本発明は、簡単な構成要素の変更および組合せの方式によって、単純マトリクス駆動型有機ＥＬ素子表示装置の大サイズ化を可能とするとともに、高解像度の要求を満たすことのできる有機ＥＬ素子表示装置の配列構成方法を提供することも目的とする。
【００１２】
さらに、本発明の目的は、構成要素に簡単な変更を施して、各種サイズ・各種タイプに容易に適用させることのできる有機ＥＬ素子表示装置を提供する点にもある。
【００１３】
そして、本発明は、アクティブマトリクス駆動型有機ＥＬ素子を使用せずに、大サイズ表示装置への適用および高解像度要求の満足を可能とすることにより、量産やコスト削減に有利なだけでなく、低温ポリシリコンＴＦＴ技術が熟するのを待つことなく、即時量産が行えて、多数の表示装置の消費者に利益をもたらすことのできる有機ＥＬ素子表示装置を提供することをも目的としている。
【００１４】
【課題を解決するための手段】
上記目的を達成するため、本発明の有機ＥＬ素子表示装置は、少なくとも１つの表示パネルから構成され、その表示パネルが、基板上に、第１電極、発光層、第２電極および保護膜を順次形成させた後、保護膜上に、第１電極と同方向に延びる第３延伸導線、第３隔離層および第２電極と同方向に延びる第４延伸導線を順次形成させてなっている。第３延伸導線は、もう１つの表示パネルの第１電極（データ線）とコモンドライバとを接続する経路となり、第４延伸導線は、もう１つの表示パネルの第２電極（走査線）とカラムドライバとを接続する経路となる。よって、各表示パネルのデータ線と走査線は、いずれも対応するコモンドライバとカラムドライバに接続するための経路を持つため、各表示パネルを配列させることで、大サイズの有機ＥＬ素子表示装置として構成することができる。
【００１５】
【発明の実施の形態】
図４に示すのは、本発明の好適な実施形態による有機ＥＬ素子の断面図である。
図示するように、本発明の有機ＥＬ素子は、基板４１上に第１電極４３が形成され、第１電極４３の適所に蒸着法またはスパッタリングを施して、少なくとも有機発光層を含む発光層４７と、第２電極４５と、保護膜４９とが順次形成されてなる。保護膜４９表面の一部には、第２電極４５と同一の方向に延伸する少なくとも１つの第４延伸導線４８が配設されており、この第４延伸導線４８は、第４接続線４８４を介してもう１つの表示パネル（第４表示パネル）の第２電極（第４走査線、図５に示す６５５）に接続される。第４延伸導線４８上には、絶縁性を有する第４隔離層４８５が設けられ、さらに、第４絶縁層４８５表面の一部に、第１電極４３と同一の方向に延びる第３延伸導線４４が配設されている。第３延伸導線路４４は、さらに別の表示パネル（第３表示パネル）の第１電極（第３データ線、図５に示す６３５）に接続されている。
【００１６】
図５および図６に示すのはそれぞれ、本発明の実施形態に基づき、表示パネルを配列させて大型の有機ＥＬ素子表示装置を構成した態様を示すブロック図、およびその局部を示すブロック図である。図示するように、表示装置５１は、複数の表示パネルを組み合わせてなり、例えば、本実施形態におけるように、４×４の表示装置であって、各表示パネルは、第１電極４３からなるデータ線（Ｄａｔｅ　Ｅｌｅｃｔｒｏｄｅ／Ｌｉｎｅ）および第２電極４５からなる走査線（Ｓｃａｎｎｉｎｇ　Ｌｉｎｅ／Ｌｉｎｅ）、例として、第１パネル５１１の第１データ線４３５および第１走査線４５５を含んでなるものである。コモンドライバ５３Ｃ１〜５３Ｃ８またはカラムドライバ５５Ｄ１〜５５Ｄ８に隣接するパネルの各データ線および各走査線は、これらが対応するコモンドライバ５３Ｃ１〜５３Ｃ８またはカラムドライバ５５Ｄ１〜５５Ｄ８にそれぞれ直接に接続される。例えば、表示パネル５１１の第１データ線４３５および第１走査線４５５は、これらが対応するコモンドライバ５３Ｃ５およびカラムドライバ５５Ｄ４とそれぞれ直接に接続される。
【００１７】
また、第１パネル５１１内に位置し、かつ、第１走査線４３５と同一の方向に延びる第３延伸導線４４（長い点の点線で示す）は、第３表示パネル５１３側辺の第３接続線４４４を介して第３表示パネル５１３の第１電極６３５（第３データ線；長い点の点線で示す）に接続される。このように構成することにより、コモンドライバ５３Ｃ３に隣接していない第３表示パネル５１３の第３データ線６３５は、第３延伸導線４４および第３接続線４４４を介し、第１パネル５１１を横切ってコモンドライバ５３Ｃ５に接続されるようになる。よって、第３表示パネル５１３の第３データ線６３５および第３走査線６５３は、これらが対応するコモンドライバ５３Ｃ５およびカラムドライバ５５Ｄ３にそれぞれ接続されることとなる。さらに、中央コントローラ５７からの制御命令により、コモンドライバ５３Ｃ１〜５３Ｃ８およびカラムドライバ５５Ｄ１〜５５Ｄ８の整合が行われ、第３パネル５１３の各画素（黒い点で示す）が通電されて点灯する。
【００１８】
また、カラムドライバ５５Ｄ４に隣接していない第４表示パネル５１４につき、その第２電極６５５（第４走査線；短い点の点線で示す）も同様に、第４延伸導線４８および第４接続線４８４を介し、第１表示パネル５１１を横切ってカラムドライバ５５Ｄ４に接続される。つまり、そのデータ線および走査線は、それらが対応するコモンドライバ５３Ｃ６およびカラムドライバ５５Ｄ４にそれぞれ接続されることとなる。
【００１９】
同様の原理で、コモンドライバまたはカラムドライバのいずれにも隣接しない表示パネル、例えば、第６表示パネル５１６も、各延伸導線および接続線を介して、第３表示パネル５１３および第４表示パネル５１４を横切って、対応するコモンドライバ５３Ｃ６およびカラムドライバ５５Ｄ３にそれぞれ接続され、そのデータ線および走査線が中央コントローラ５７の制御を受けられるようになる。
よって、各画素（黒い点で示す）への電力供給オン・オフ機能を持つこととなる。このように、延伸導線および接続線を埋設することで、各表示パネルは、コモンドライバまたはカラムドライバに隣接されて配置されると否とにかかわらず、そのデータ線および走査線がいずれも、対応するコモンドライバおよびカラムドライバにそれぞれ接続するための経路を備えるものとなる。
【００２０】
図７に示すのは、別な実施形態に基づき、表示パネルを配列させて大型の有機ＥＬ素子表示装置を構成した場合の局部を示すブロック図である。図示するように、この実施形態では、上述した実施形態の２倍数×２倍数からなる表示パネルを、２倍数×３倍数からなる表示パネル７１とした。このうち、第５表示パネル７１５の第１電極７３５（第５データ線：短い点の点線で示す）も同じく、第５延伸導線７４および第５接続線７４４を介し、第３表示パネル５１３と第１表示パネル５１１とを横切って、対応するコモンドライバ７３ＥＡに接続される。このため、各表示パネルがコモンドライバまたはカラムドライバに隣接しているか否かにかかわらず、そのデータ線および走査線はいずれも、対応するコモンドライバ７３ＥＡ〜７３ＥＤまたはカラムドライバ７５Ｆ４〜７５Ｆ６に接続するための経路を持つこととなる。このように、たとえ単純マトリクス駆動型の有機ＥＬ素子表示装置であっても、各表示パネル並列に配置して構成させ、各種サイズ・各種態様に形成できるようにしたことで、従来の単純マトリクス駆動型の有機ＥＬ素子表示装置の大サイズ化を図る上での制約が大幅に解消され得る。
【００２１】
この実施形態より、第１表示パネル５１１および第４表示パネル５１４の側辺に位置するコモンドライバ７３ＥＡ〜７３ＥＤは、接続される走査線の本数に応じて増加させ得るもので、つまり、表示パネル（例えば、第１表示パネル５１１）の側辺に複数のコモンドライバ（例えば、コモンドライバ７３ＥＡと７３ＥＢ）を設置できることがわかる。そして、中央コントローラが各コモンドライバおよび各カラムドライバを整合するため、こうした拡充後に制御が錯乱するような事態は発生しない。さらに、これと同様の設計概念で、サイズが同じ各表示パネルにおいて、走査線およびデータ線を増加させることにより、画素数を増加させて解像度を高めることができる。
【００２２】
最後に、図８に示すのは、本発明による別な実施形態による有機ＥＬ素子の断面図である。図示するように、製造工程の便宜のため、ならびに有機ＥＬ素子からの光線の出光位置に対応させるべく、この実施形態によれば、主に、基板４１上に、第３延伸導線８４、第３隔離層８４５、第４延伸導線８８および第４隔離層８８５が順次形成された後さらに、絶縁性を有する第４隔離層８８５表面に、第１電極４３、発光層４７、第２電極４５および保護膜４９が順次形成される。よって、同じように、第３延伸導線８４は、第３接続線８４４を介し、別の表示パネルの第１電極に接続され、第４延伸導線８８は、第４接続線８８４を介して、別の表示パネルの第２電極に接続される。
【００２３】
言うまでもなく、第１電極、第２電極、延伸導線および接続線は、各種タイプの有機ＥＬ素子或いは出光位置に応じて、透過性の導電材料により作製させることができる。
【００２４】
以上は、本発明を説明するために実施形態を例示して記載しただけであって、これによって本発明の実施の範囲が限定されるものではなく。また、本発明による形状、構造、特徴および主旨に基づく均等な変化や修飾は、特許請求の範囲内で行われなければならない。
【００２５】
【発明の効果】
以上説明したように、本発明の有機ＥＬ素子表示装置によれば、各表示パネルのデータ線と走査線が、いずれも対応するコモンドライバとカラムドライバに接続するための経路を持つため、各表示パネルを配列させて大サイズの有機ＥＬ素子表示装置に構成することができる。従って、従来技術による単純マトリクス駆動型の有機ＥＬ素子表示装置の構造上の欠点が効果的に解決され、大サイズの表示装置に適用でき、かつ、高解像度の要求を満足させ得る。
【００２６】
さらに、本発明によれば、アクティブマトリクス駆動型有機ＥＬ素子を使用せずに、単純マトリクス駆動型有機ＥＬ素子表示装置であっても、大サイズ表示装置への適用および高解像度要求の満足を可能としたため、量産やコスト削減に有利となるばかりでなく、低温ポリシリコンＴＦＴ技術が熟するのを待つことなく、今すぐに量産が行えるようになり、多くの消費者に利益をもたらす。
【図面の簡単な説明】
【図１】従来の有機ＥＬ素子の断面図である。
【図２】従来の有機ＥＬ素子表示装置を構成する表示パネルのブロック図である。
【図３】従来の有機ＥＬ素子表示装置が大型の表示パネルとして構成された態様を示すブロック図である。
【図４】本発明の好適な実施形態による有機ＥＬ素子の断面図である。
【図５】本発明の実施形態に基づき、表示パネルを配列させて大型の有機ＥＬ素子　表示装置を構成した態様を示すブロック図である。
【図６】図５の局部を示すブロック図である。
【図７】本発明の別な実施形態に基づき、表示パネルを配列させて大型の有機ＥＬ　素子表示装置を構成した場合の局部を示すブロック図
【図８】本発明による別な実施形態による有機ＥＬ素子の断面図である。
【符号の説明】
４１　基板
４３　第１電極
４３５　第１データ線
４４　第３延伸導線
４４４　第３接続線
４５　第２電極
４５５　第１走査線
４７　発光層
４８　第４延伸導線
４８４　第４接続線
４８５　第４隔離層
４９　保護膜
５１　表示パネル
５１１　第１表示パネル
５１３　第３表示パネル
５１４　第４表示パネル
５１６　第６表示パネル
５５Ｃ１〜５５Ｃ８　コモンドライバ
５５Ｄ１〜５５Ｄ８　カラムドライバ
５７　中央コントローラ
６１　表示パネル
６３５　第３データ線
６５３　第３走査線
６５５　第４走査線
６７　中央コントローラ
７１　表示パネル
７１５　第５表示パネル
７３ＥＡ〜７３ＥＤ　コモンドライバ
７３５　第５データ線
７４　第５延伸導線
７４４　第５接続線
７５Ｆ４〜７５Ｆ６　カラムドライバ
８４　第３延伸導線
８４４　第３接続線
８４５　第３隔離層
８８４　第４接続線
８８　第４延伸導線
８８５　第４隔離層
【図１】
2004111320.tif 000003
【図２】
2004111320.tif 000004
【図３】
2004111320.tif 000005
【図４】
2004111320.tif 000006
【図５】
2004111320.tif 000007
【図６】
2004111320.tif 000008
【図７】
2004111320.tif 000009
【図８】
2004111320.tif 000010